(57)【要約】【課題】オフィス空間での空調機器の誤停止を防ぐ。【解決手段】オフィス空間１の所定の位置に、既存の無線システムからの送信電波（例えば、テレビ放送波）の受信レベルの変動（受信電波のレベルの変動）を監視する電波変動監視装置６を設ける。電波変動監視装置６において、受信電波のレベルの変動Ｖが閾値Ｓよりも小さい状態が待ち時間ＴＷ１継続した場合、空調機器コントローラ５に対しては空調能力の低減を指示せずに、照明機器コントローラ４に対してのみ照明能力の低減を指示する（例えば、照明の照度を徐々に下げて行く）。その後、受信電波のレベルの変動Ｖが閾値Ｓよりも小さい状態が待ち時間ＴＷ２継続した場合に、照明機器コントローラ４に対して不在時の低照明能力への照明能力の低減（例えば、消灯）を指示し、空調機器コントローラ５に対して不在時の低空調能力への空調能力の低減（例えば、停止）を指示する。【選択図】  図１
2010236821.tif 000002
【特許請求の範囲】
【請求項１】
制御対象空間に対して設けられた照明機器および空調機器と、
前記照明機器の照明能力を制御する照明機器コントローラと、
前記空調機器の空調能力を制御する空調機器コントローラと、
前記制御対象空間内の所定の位置において受信される電波のレベルの変動を常時監視する電波変動監視装置とを備え、
前記電波変動監視装置は、
前記受信電波のレベルの変動が所定の閾値よりも小さい状態が予め定められた第１の待ち時間継続した場合に、前記空調機器コントローラに対して空調能力の低減を指示せずに、前記照明機器コントローラに対して照明能力の低減を指示する照明能力低減手段
を備えることを特徴とする照明・空調制御システム。
【請求項２】
請求項１に記載された照明・空調制御システムにおいて、
前記電波変動監視装置は、
前記照明能力低減手段によって前記照明機器コントローラへ照明能力の低減が指示された後、前記受信電波のレベルの変動が前記所定の閾値よりも小さい状態が予め定められた第２の待ち時間継続した場合に、前記空調機器コントローラに対して空調能力の低減を指示する空調能力低減手段
を備えることを特徴とする照明・空調制御システム。
【請求項３】
請求項１に記載された照明・空調制御システムにおいて、
前記電波変動監視装置は、
前記照明能力低減手段によって前記照明機器コントローラへ照明能力の低減が指示された後、前記受信電波のレベルの変動が前記所定の閾値よりも小さい状態が予め定められた第２の待ち時間継続した場合に、前記照明機器コントローラに対して予め定められている不在時の低照明能力への照明能力の低減を指示すると共に、前記空調機器コントローラに対して予め定められている不在時の低空調能力への空調能力の低減を指示する照明・空調能力低減手段
を備えることを特徴とする照明・空調制御システム。
【請求項４】
請求項２又は３に記載された照明・空調制御システムにおいて、
前記電波変動監視装置は、
前記照明能力低減手段によって前記照明機器コントローラへ照明能力の低減が指示された後、前記受信電波のレベルの変動が前記第２の待ち時間内に前記所定の閾値以上となった場合に、前記照明機器コントローラに対して照明能力の回復を指示する照明能力回復手段
を備えることを特徴とする照明・空調制御システム。
【請求項５】
請求項１〜４の何れか１項に記載された照明・空調制御システムにおいて、
前記照明機器コントローラおよび前記空調機器コントローラの少なくとも１つは、前記電波変動監視装置を備える
ことを特徴とする照明・空調制御システム。
【発明の詳細な説明】
【技術分野】
【０００１】
この発明は、制御対象空間に対して設けられている照明機器および空調機器を制御する照明・空調制御システムに関するものである。
【背景技術】
【０００２】
従来より、制御対象空間に人が存在するか否かを自動的に検出して、人が存在している場合にはその制御対象空間に対して設けられている空調機器の運転をオンとする一方、人が存在していない場合にはオフとすることで、在室者が空調機器を操作する必要をなくし、かつ省エネルギーを図る制御システムが多数提案されている。
【０００３】
このような制御システムの一例として、制御対象空間内の所定の位置においてテレビ放送波などの既存の無線システムからの送信電波の受信レベルの変動（受信電波のレベルの変動）を監視し、この受信電波のレベルの変動が所定の閾値（例えば、３ｄＢ以下）よりも小さい状態が所定時間以上継続した場合に、在室者がいない、もしくは睡眠に入ったと判断し、空調機器の運転をオフとする制御システムが考えられている（例えば、特許文献１参照）。
【０００４】
この制御システムは、テレビ放送波などの既存の無線システムからの電波が入り込んでいる環境下では、人が存在しかつ移動する場合は受信電波のレベルが大きく変動する一方、人が不在、もしくは人が存在していても移動しない（動きが少ない）場合は受信電波のレベルの変動が小さいことを利用したものである。この制御システムでは、既存の無線システムからの電波を利用することによって、人検知のための電波を発信する専用の送信機を不要とし、コストの低減を図ることが可能となる、
【先行技術文献】
【特許文献】
【０００５】
【特許文献１】特開２００６−２２１２１３号公報
【発明の概要】
【発明が解決しようとする課題】
【０００６】
しかしながら、この受信電波のレベルの変動を利用した制御システムにおいて、制御対象空間をオフィス空間とした場合、通常オフィス空間では人は椅子に座って机に向かってデスクワークをしている場合が多く、その人は移動しないし、動作も小さい。このため、オフィス空間に人がいても受信電波のレベルの変動は小さく、この受信電波のレベルの変動が所定の閾値よりも小さい状態が所定時間以上続くと、制御システムでは、オフィス空間内に人が存在しないと判断し、すぐに空調機器の運転を停止してしまう。これにより、オフィス空間での空調機器の誤停止が発生し、在室者に不快感を与える虞がある。これは、この制御システムでは「人の不在」と「人が存在しかつ動きが小さい場合」とを区別できないことに起因する。
【０００７】
本発明は、このような課題を解決するためになされたもので、その目的とするところは、オフィス空間など人の動きが小さい制御対象空間での空調機器の誤停止を防ぐことが可能な照明・空調制御システムを提供することにある。
【課題を解決するための手段】
【０００８】
このような目的を達成するために本発明は、制御対象空間に対して設けられた照明機器および空調機器と、照明機器の照明能力を制御する照明機器コントローラと、空調機器の空調能力を制御する空調機器コントローラと、制御対象空間内の所定の位置において受信される電波のレベルの変動を常時監視する電波変動監視装置とを備えた照明・空調制御システムにおいて、電波変動監視装置に、受信電波のレベルの変動が所定の閾値よりも小さい状態が予め定められた第１の待ち時間継続した場合に、空調機器コントローラに対して空調能力の低減を指示せずに、照明機器コントローラに対して照明能力の低減を指示する照明能力低減手段を設けたものである。
【０００９】
この発明によれば、制御対象空間内の所定の位置において受信される電波のレベルの変動が常時監視され、この受信電波のレベルの変動が所定の閾値よりも小さい状態が予め定められた第１の待ち時間継続すると、空調機器コントローラに対して空調能力の低減は指示されずに、照明機器コントローラに対して照明能力の低減が指示され、制御対象空間に対して設けられている空調機器の空調能力をそのままの状態として、制御対象空間に対して設けられている照明機器の照明能力だけが低減する。例えば、照明機器を消灯したり、照明機器の照度を徐々に下げていったり、照明機器を間欠的な点灯としたりする。この場合、制御対象空間内の照明が暗くなるので、制御対象空間内に人が存在すれば、その人はその照明機器の明るさを元の状態に戻そうとする。これにより、制御対象空間内で人の動きが生じ、受信電波のレベルが変動する。
【００１０】
すなわち、本発明では、制御対象空間内に人が存在していた場合、照明機器と空調機器を同時にオフとするのではなく、人がいて、その人の動きが少ないのか、人が不在になったのかどちらかを確かめるために、空調機器の空調能力はそのままの状態として、照明機器の照明能力のみを低減させる。この照明機器の照明能力の低減によって、在室者が居れば、動くように誘導することで、「人の不在」と「人が存在しかつ動きが小さい場合」とを区別することが可能となる。
【００１１】
本発明では、照明機器コントローラへ照明能力の低減を指示した後、受信電波のレベルの変動が所定の閾値よりも小さい状態が予め定められた第２の待ち時間継続した場合に、空調機器コントローラに対して空調能力の低減を指示するようにする。すなわち、照明機器の照明能力を低減させても人の動きがなく、受信電波のレベルの変動が所定の閾値よりも小さい状態がさらに続いた場合に、「人の不在」と判断し、空調機器の空調能力を低減させる。例えば、空調機器の運転を停止させたり、空調機器を換気が行える程度の送風としたりする。
【００１２】
本発明において、照明機器コントローラへ照明能力の低減を指示した後、受信電波のレベルの変動が所定の閾値よりも小さい状態が予め定められた第２の待ち時間継続した場合、照明機器コントローラに対して予め定められている不在時の低照明能力への照明能力の低減を指示すると共に、空調機器コントローラに対して予め定められている不在時の低空調能力への空調能力の低減を指示するようにしてもよい。例えば、受信電波のレベルの変動が所定の閾値よりも小さい状態が第１の待ち時間継続した場合に、照明機器の照度を徐々に下げて行くようにし、その後、受信電波のレベルの変動が所定の閾値よりも小さい状態が第２の待ち時間継続した場合に、照明機器を消灯すると共に空調機器の運転を停止させるようにする。なお、この場合、照明機器の照度を常夜灯として設定した明るさとしたり、空調機器を換気が行える程度の送風としたりするようにしてもよい。
【００１３】
また、本発明において、照明機器コントローラへ照明能力の低減が指示された後、受信電波のレベルの変動が第２の待ち時間内に所定の閾値以上となった場合に、照明機器コントローラに対して照明能力の回復を指示するようにしてもよい。これにより、照明機器の照明能力が低減されて人が動くと、その人の動きを察知して、照明機器の照明能力が自動的に元の状態に戻るものとなる。
【発明の効果】
【００１４】
本発明によれば、受信電波のレベルの変動が所定の閾値よりも小さい状態が予め定められた第１の待ち時間継続した場合に、空調機器コントローラに対して空調能力の低減を指示せずに、照明機器コントローラに対して照明能力の低減を指示するようにしたので、照明機器の照明能力の低減によって制御対象空間内の在室者を動くように誘導させ、「人の不在」と「人が存在しかつ動きが小さい場合」とを区別し、すぐに空調機器の運転をオフとしないようにして、オフィス空間など人の動きが小さい制御対象空間での空調機器の誤停止を防ぐことが可能となる。
【図面の簡単な説明】
【００１５】
【図１】本発明に係る照明・空調制御システムの一実施の形態を示すシステム構成図である。
【図２】この照明・空調制御システムにおける電波変動監視装置の要部の構成を示す図である。
【図３】この電波変動監視装置が有する照明・空調連動制御機能を説明するためのフローチャートである。
【図４】この電波変動監視装置が有する照明・空調連動制御機能を説明するためのフローチャート（図３に続くフローチャート）である。
【図５】オフィス空間で人が動き回っている場合の受信電波のレベルの変化例を示す図である。
【図６】オフィス空間で人がデスクワークを行っている場合の受信電波のレベルの変化例を示す図である。
【図７】オフィス空間から人がいなくなった場合の受信電波のレベルの変化例を示す図である。
【図８】この電波変動監視装置における制御部の要部の機能ブロック図である。
【図９】図４に示したフローチャートの変形例を示す図である。
【発明を実施するための形態】
【００１６】
以下、本発明を図面に基づいて詳細に説明する。図１はこの発明に係る照明・空調制御システムの一実施の形態を示すシステム構成図である。同図において、１はオフィス空間（制御対象空間）、２はオフィス空間１に対して設けられた照明機器、３はオフィス空間１に対して設けられた空調機器、４は照明機器２の照明能力を制御する照明機器コントローラ、５は空調機器３の空調能力を制御する空調機器コントローラである。
【００１７】
本実施の形態において、オフィス空間１の所定の位置には、既存の無線システムからの送信電波の受信レベルの変動（受信電波のレベルの変動）を監視する電波変動監視装置６が設けられている。この場合、既存の無線システムの送信電波は、一定の電力を送信する無線システムからの送信電波であれば周波数帯によらず利用できるが、以下ではテレビ放送波を例として説明する。なお、図１において、７は窓、８はドア、９は机、１０は椅子であり、Ｍはオフィス空間１に在室している人である。
【００１８】
図２に電波変動監視装置６の要部の構成を示す図である。電波変動監視装置６は、オフィス空間１に入り込んでいるテレビ放送波をアンテナＡＮＴ１を介して受信する受信部６−１と、この受信部６−１によって受信されたテレビ放送波の受信レベル（受信電波のレベル）を検出する受信レベル検出部６−２と、この受信レベル検出部６−２によって検出される受信電波のレベルに基づいて照明能力および空調能力の変更指示を生成し、この生成した照明能力および空調能力の変更指示をアンテナＡＮＴ２を介して照明機器コントローラ４および空調機器コントローラ５へ送信する制御部６−３とを備えている。
【００１９】
本実施の形態において、アンテナＡＮＴ１はモノポールアンテナを用いている。図１に示したオフィス空間１の環境では、屋外から入ってきた電波が様々な金属製物体によって反射するため、電波変動監視装置６のアンテナＡＮＴ１で受信される複数の電波の位相が同相であったり、逆相であったりした場合には、原理的に受信レベルが強めあったり、弱めあったりすることになる。
【００２０】
すなわち、オフィス空間１に入り込んでいるテレビ放送波によって作られる電波環境内の電波を在室者が遮断するなどして電波の経路が変化した時、受信レベル検出部６−２で検出される受信電波のレベルの変動に顕著に表れる。アンテナＡＮＴ１としてモノポールアンテナを用いることにより、アンテナの簡易化を図れるのみならず、オフィス空間１内の電波環境で生じる到来方向の異なる複数の電波を効率的に受信することが可能となり、オフィス空間１内の電波環境の変化を広範囲にかつ高精度に検知することが可能となる。
【００２１】
また、本実施の形態において、制御部６−３は、プロセッサや記憶装置からなるハードウェアと、これらのハードウェアと協働して各種機能を実現させるプログラムとによって実現され、照明機器２および空調機器３の動作を連動して制御する照明・空調連動制御機能を有している。以下、図３および図４に分割して示したフローチャートに従って、制御部６−３が有する照明・空調連動制御機能について説明する。
【００２２】
なお、このフローチャートに従う処理動作に入る前の状態として、照明機器２および空調機器３は共にオンとされており、電波変動監視装置６からの照明機器コントローラ４および空調機器コントローラ５への照明能力および空調能力の変更指示は出されていないものとする。すなわち、照明機器２はオフィス空間１での作業に適した照度で点灯しており、空調機器３はオフィス空間１における設定温度を確保すべく運転が続けられているものとする。
【００２３】
このような状態で、制御部６−３は、受信レベル検出部６−２で検出される受信電波のレベルを定周期（例えば、１分）で取り込み、この受信電波のレベルの変動を監視する。制御部６−３は、この受信電波のレベルの変動の監視を次のようにして行う。
【００２４】
先ず、タイマの計時を開始し（図３：ステップＳ１０１）、受信レベル検出部６−２で検出される受信電波のレベルＲを取り込み（ステップＳ１０２）、現在までの所定期間（例えば、５分）の受信電波のレベルの移動平均ＲＭａｖを算出する（ステップＳ１０３）。
【００２５】
そして、この算出した受信電波のレベルの移動平均ＲＭａｖと取り込んだ受信電波のレベルＲとの差の絶対値を受信電波のレベルの変動Ｖ（Ｖ＝｜ＲＭａｖ−Ｒ｜）として求め（ステップＳ１０４）、この求めた受信電波のレベルの変動Ｖと予め定められている閾値Ｓとを比較し（ステップＳ１０５）、受信電波のレベルの変動Ｖが閾値Ｓ以上であれば（ステップＳ１０６のＮＯ）、ステップＳ１０１で計時を開始したタイマをリセットしたうえ（ステップＳ１０７）、ステップ１０１へ戻り、ステップ１０１以下の処理動作を繰り返す。このようにして、制御部６−３は、受信電波のレベルの変動Ｖを常時監視する。
【００２６】
〔オフィス空間で人が動き回っている場合〕
図５はオフィス空間１で人Ｍが動き回っている場合の受信電波のレベルＲの変化例を示す図である。オフィス空間１で人Ｍが動き回っている場合、受信電波のレベルの変動Ｖは大きく、閾値Ｓ以上となる。あるいは受信電波のレベルの変動Ｖが閾値Ｓを下回っても、すぐに閾値Ｓ以上となる。
【００２７】
受信電波のレベルの変動Ｖが閾値Ｓ以上の場合、制御部６−３は、ステップＳ１０６のＮＯに応じ、ステップＳ１０７でのタイマのリセットを経てステップＳ１０１へ戻り、ステップＳ１０１以下の処理動作を繰り返す。
【００２８】
受信電波のレベルの変動Ｖが閾値Ｓを下回った場合（ステップＳ１０６のＹＥＳ）、制御部６−３は、ステップＳ１０１で計時を開始したタイマの実計時時間ＴＲと予め定められている待ち時間ＴＷ１（第１の待ち時間）とを比較し（ステップＳ１０８）、タイマの実計時時間ＴＲが待ち時間ＴＷ１内であることを確認すると（ステップＳ１０９のＹＥＳ）、ステップＳ１０２へ戻り、上述したステップＳ１０２以下の処理動作を繰り返す。
【００２９】
ここで、待ち時間ＴＷ１は、例えば数１０分というように、比較的長い時間として定められている。したがって、タイマの実計時時間ＴＲがＴＷ１に達する前に、受信電波のレベルの変動Ｖが閾値Ｓ以上となり（ステップＳ１０６のＮＯ）、タイマの実計時時間ＴＲがリセットされて（ステップＳ１０７）、ステップＳ１０１以下の処理動作が繰り返されるものとなる。
【００３０】
〔オフィス空間で人がデスクワークを行っている場合〕
図６はオフィス空間１で人Ｍがデスクワークを行っている場合の受信電波のレベルＲの変化例を示す図である。オフィス空間１で人Ｍがデスクワークを始めると、人Ｍの動きが少なくなる。この場合、受信電波のレベル変動Ｖは閾値Ｓを下回り（ステップＳ１０６のＹＥＳ）、この状態が長く続くことになる。
【００３１】
制御部６−３は、受信電波のレベルの変動Ｖが閾値Ｓを下回り（ステップＳ１０６のＹＥＳ、図６に示すｔ０点）、タイマの実計時時間ＴＲがＴＷ１に達すると（ステップＳ１０９のＮＯ、図６に示すｔ１点）、タイマの実計時時間ＴＲをリセットしたうえ（ステップＳ１１０）、空調機器コントローラ５へは空調能力の低減指示を送らずに、照明機器コントローラ４へのみ照明能力の低減指示を送る（図４：ステップＳ１１１）。この例では、照明能力の低減指示として、照明の照度を徐々に下げて行くような指示を与えるものとする。
【００３２】
照明機器コントローラ４は、電波変動監視装置６から照明能力の低減指示が送られてくると、この照明能力の低減指示に従って照明機器２の照度を徐々に下げて行く。この場合、オフィス空間１内の照明が暗くなるので、デスクワークを行っていた人Ｍはその照明機器２の明るさを元の状態に戻そうとする。これにより、オフィス空間１内で、人の動きが生じる。この際、空調機器３の運転は続けられるので、オフィス空間１内の人Ｍに不快感を与えることはない。
【００３３】
制御部６−３は、照明機器コントローラ４へ照明能力の低減指示を送った後（ステップＳ１１１）、タイマの計時を開始し（ステップＳ１１２）、前述したステップＳ１０２〜Ｓ１０４での処理と同様にして受信電波のレベルの変動Ｖを求め（ステップＳ１１３〜Ｓ１１５）、この求めた受信電波のレベルの変動Ｖと閾値Ｓとを比較する（ステップＳ１１６）。
【００３４】
ここで、受信電波のレベルの変動Ｖが閾値Ｓを下回っていれば（ステップＳ１１７のＹＥＳ）、制御部６−３は、ステップＳ１１２で計時を開始したタイマの実計時時間ＴＲと予め定められている待ち時間ＴＷ２（第２の待ち時間）とを比較し（ステップＳ１２０）、タイマの実計時時間ＴＲが待ち時間ＴＷ２内であることを確認すると（ステップＳ１２１のＹＥＳ）、ステップＳ１１３へ戻り、上述したステップＳ１１３以下の処理動作を繰り返す。
【００３５】
ここで、待ち時間ＴＷ２は、オフィス空間１内で照明機器２の明るさを元の状態に戻そうとする人の動きを考慮し、この人の動きを察知するまでの時間よりも十分長い時間として定められている。したがって、オフィス空間１内に人Ｍがいれば、タイマの実計測時間ＴＲがＴＷ２に達する前に、オフィス空間１内で人の動きが生じ、受信電波のレベルの変動Ｖが閾値Ｓ以上となる。
【００３６】
制御部６−３は、タイマの実計測時間ＴＲがＴＷ２に達する前に、受信電波のレベルの変動Ｖが閾値Ｓ以上となると（ステップＳ１１７のＮＯ）、照明機器コントローラ４へ照明能力の回復指示を送る（ステップＳ１１８）。これにより、オフィス空間１内の人Ｍが少し動くだけで、照明機器２の明るさが元の状態に自動的に戻されるものとなる。そして、制御部６−３は、タイマの実計時時間ＴＲをリセットしたうえ（ステップＳ１１９）、ステップ１０１へ戻り、ステップ１０１以下の処理動作を繰り返す。
【００３７】
〔オフィス空間から人がいなくなった場合〕
図７はオフィス空間１から人Ｍがいなくなった場合の受信電波のレベルＲの変化例を示す図である。オフィス空間１から人Ｍがいなくなると、受信電波のレベルの変動Ｖが閾値Ｓを下回り（ステップＳ１０６のＹＥＳ）、この状態が長く続くことになる。
【００３８】
制御部６−３は、受信電波のレベルの変動Ｖが閾値Ｓを下回り（ステップＳ１０６のＹＥＳ、図７に示すｔ０点）、タイマの実計時時間ＴＲがＴＷ１に達すると（ステップＳ１０９のＮＯ、図７に示すｔ１点）、タイマの実計時時間ＴＲをリセットしたうえ（ステップＳ１１０）、照明機器コントローラ４へ照明能力の低減指示を送る（図４：ステップＳ１１１）。
【００３９】
照明機器コントローラ４は、電波変動監視装置６から照明能力の低減指示が送られてくると、この照明能力の低減指示に従って照明機器２の照明を徐々に下げて行く。この場合、オフィス空間１内の照明が暗くなるが、オフィス空間１内に人Ｍはいないので、オフィス空間１内での人の動きは生じない。
【００４０】
制御部６−３は、照明機器コントローラ４へ照明能力の低減指示を送った後（ステップＳ１１１）、タイマの計時を開始し（ステップＳ１１２）、前述したステップＳ１０２〜Ｓ１０４での処理と同様にして受信電波のレベルの変動Ｖを求め（ステップＳ１１３〜Ｓ１１５）、この求めた受信電波のレベルの変動Ｖと閾値Ｓとを比較する（ステップＳ１１６）。
【００４１】
この場合、オフィス空間１内で人の動きは生じず、受信電波のレベルの変動Ｖが閾値Ｓを下回っている状態が続く（ステップＳ１１７のＹＥＳ）。この間、制御部６−３は、タイマの実計測時間ＴＲと待ち時間ＴＷ２とを比較し（ステップＳ１２０）、タイマの実計測時間ＴＲが待ち時間ＴＷ２に達すると（ステップＳ１２１のＮＯ、図７に示すｔ２点）、照明機器コントローラ４へ予め定められている不在時の低照明能力への照明能力の低減指示として、照明機器２を消灯させる指示を送る（ステップＳ１２２）。また、空調機器コントローラ５へ予め定められている不在時の低空調能力への空調能力の低減指示として、空調機器３の運転を停止させる指示を送る（ステップＳ１２３）。これにより、オフィス空間１内に人がいない場合には、照明機器２が消灯し、空調機器３の運転が停止する。
【００４２】
このように、本実施の形態では、照明機器２の照明能力の低減によってオフィス空間１内の人Ｍを動くように誘導させるようにして、「人の不在」と「人が存在しかつ動きが小さい場合」とを区別し、すぐに空調機器３の運転をオフとしないようにして、オフィス空間１での空調機器４の誤停止を防ぐことができるようになる。
【００４３】
図８にこの実施の形態における制御部６−３の要部の機能ブロック図を示す。制御部６−３は、受信電波のレベルＲから受信電波のレベルの変動Ｖを求める受信電波レベル変動算出部６Ａと、この受信電波レベル変動算出部６Ａによって求められた受信電波のレベルの変動Ｖと閾値Ｓとを比較し、Ｖ＜Ｓの状態が第１の待ち時間ＴＷ１継続した場合に照明機器コントローラ４に対して照明能力の低減を指示する照明能力低減部６Ｂと、照明能力低減部６Ｂから照明機器コントローラ４に対して照明能力の低減が指示された後、受信電波レベル変動算出部６Ａからの受信電波のレベルの変動Ｖと閾値Ｓとを比較し、Ｖ＜Ｓの状態が第２の待ち時間ＴＷ２継続した場合に、照明機器コントローラ４に対して不在時の低照明能力への照明能力の低減を指示すると共に空調機器コントローラ５に対して不在時の低空調能力への空調能力の低減を指示する照明・空調能力低減部６Ｃと、照明能力低減部６Ｂから照明機器コントローラ４に対して照明能力の低減が指示された後、受信電波レベル変動算出部６Ａからの受信電波のレベルの変動Ｖと閾値Ｓとを比較し、第２の待ち時間ＴＷ２内にＶ≧Ｓとなった場合に照明機器コントローラ４に対して照明能力の回復を指示する照明能力回復部６Ｄとを備えている。
【００４４】
なお、上述した実施の形態では、ステップ１２２（図４）において、不在時の低照明能力への照明能力の低減指示として照明機器２を消灯させる指示を送るようにしたが、常夜灯として設定した明るさとなるような指示を送るようにしてもよい。また、ステップ１２３（図４）において、不在時の低空調能力への空調能力の低減指示として空調機器３の運転を停止させる指示を送るようにしたが、換気が行える程度の送風とする指示を送るようにしてもよい。
【００４５】
また、上述した実施の形態では、ステップＳ１１１（図４）において、照明機器コントローラ４へ照明能力の低減指示として照明の照度を徐々に下げて行くような指示を送るようにしたが、間欠的な点灯とするような指示を送るようにしてもよい。また、ステップ１１１において、不在時の低照明能力への照明能力の低減指示（消灯、常夜灯など）を与えるようにしてもよい。この場合、図９に示すように、図４に示したステップＳ１２１とステップＳ１２３との間のステップＳ１２２の処理を省略することができる。
【００４６】
また、上述した実施の形態では、受信電波のレベルの移動平均ＲＭａｖと取り込んだ受信電波のレベルＲとの差の絶対値を受信電波のレベルの変動Ｖとして求めるようにしたが、受信電波のレベルの変動の算出法はこれに限られるものではない。例えば、今回の受信電波のレベルと前回の受信電波のレベルとの差を毎回求めるようにし、この求めた最新のＮ個の差の平均を受信電波のレベルの変動Ｖとするなどとしてもよい。
【００４７】
また、上述した実施の形態では、テレビ放送波を例にとり、既存の無線システムからの送信電波の受信レベルの変動を電波変動監視装置６において監視するようにしたが、必ずしも既存の無線システムからの送信電波でなくてもよく、専用の送信機を設け、この専用の送信機からの送信電波の受信レベルを監視するようにしてもよい。
【００４８】
また、上述した実施の形態では、電波変動監視装置６を照明機器コントローラ４や空調機器コントローラ５と別体として設けたが、照明機器コントローラ４や空調機器コントローラ５に電波変動監視装置６を内蔵させてもよい。この場合、本発明でいう制御対象空間の定義には、オフィス空間１だけではなく、照明機器コントローラ４や空調機器コントローラ５が配置されている天井裏の空間も含まれるものとなる。
【産業上の利用可能性】
【００４９】
本発明の照明・空調制御システムは、オフィス空間に限らず、既存の無線システムからの送信電波が入り込む様々な制御対象空間において、人の在／不在を自動検出して照明機器および空調機器の制御を行うシステムとして利用することが可能である。
【符号の説明】
【００５０】
１…オフィス空間、２…照明機器、３…空調機器、４…照明機器コントローラ、５…空調機器コントローラ、６…電波変動監視装置、７…窓、８…ドア、９…机、１０…椅子、Ｍ…人、ＡＮＴ１，ＡＮＴ２…アンテナ、６−１…受信部、６−２…受信レベル検出部、６−３…制御部、６Ａ…受信電波レベル変動算出部、６Ｂ…照明能力低減部、６Ｃ…照明・空調能力低減部、６Ｄ…照明能力回復部。
【図１】
2010236821.tif 000003
【図２】
2010236821.tif 000004
【図３】
2010236821.tif 000005
【図４】
2010236821.tif 000006
【図５】
2010236821.tif 000007
【図６】
2010236821.tif 000008
【図７】
2010236821.tif 000009
【図８】
2010236821.tif 000010
【図９】
2010236821.tif 000011